(57)【特許請求の範囲】
【請求項１】
機器本体の背面板に形成した空気吸込口を覆うように背面板に取り付けられる対流ファンガードと、該対流ファンガードに着脱自在に取り付けられた対流ファンフィルタとを備えた温風暖房装置に於いて、前記対流ファンフィルタは略中央に取っ手部が形成されたフィルタ上部と、複数の通気穴が形成された通気部とにより断面略Ｌ字状に設けられ、前記対流ファンフィルタの内側の上部に磁石からなる上部係合部材を設けると共に、対流ファンフィルタの内側の下部に磁石からなる下部係合部材を設け、前記通気部の下端を傾斜させて磁石離反部を形成したことを特徴とする温風暖房装置。
【請求項２】
前記磁石離反部は略４５度の角度で傾斜して形成したことを特徴とする請求項１記載の温風暖房装置。
【発明の詳細な説明】
【技術分野】
【０００１】
この発明は、ガス、石油を燃料とする温風暖房装置に関するものである。
【背景技術】
【０００２】
従来からこの種のものに於いては、温風暖房装置の枠体の背面に室内空気取入口を設け、該室内空気取入口に対流ファンを覆うファンケースを取付け、更に該ファンケースにフィルタの外周の枠を支えるようにスライドガイドを取付けており、フィルタ先端の両端をスライドガイドに合わせて、フィルタの枠の上端に取付けた把手を持ってフィルタを下方へ引下げると、該フィルタはスライドガイドに案内されてファンケースを覆うようにファンケースの外側に配置され、その状態からフィルタの枠の上端の把手を持ってフィルタを上方へ引上げると、該フィルタはスライドガイドに案内されて上方へ取外すことができるものであった。（例えば、特許文献１参照。）
【先行技術文献】
【特許文献】
【０００３】
【特許文献１】特開平０９−１２６５５１号公報
【発明の概要】
【発明が解決しようとする課題】
【０００４】
ところでこの従来のものでは、温風暖房装置の後方及び上部に十分な空間があるように設置された場合はフィルタの着脱に何ら問題はないが、温風暖房装置の後方及び上部に十分な空間がないような場所に設置された場合は、一端フィルタをファンケースから取り外してしまうと、再度フィルタを取り付けるのに目で確認しながらフィルタ先端の両端をスライドガイドに合わせることができず、簡単にファンケースにフィルタを取り付けることが出来なかった。
【０００５】
そこでフィルタの内側の上下に複数の磁石からなる係合部材を設け、磁力によりフィルタを着脱させるものが考えられるが、フィルタを取り外す場合、フィルタの内側の上に設けた係合部材はフィルタを取り外そうと上に持ち上げるだけで磁力による吸着は解除されるが、温風暖房装置が後方及び上部に十分な空間がないような場所に設置された場合は、フィルタを取り外すまで持ち上げるスペースがなく、そのためフィルタの内側の下に設けた係合部材はいつまでも磁力により吸着していてフィルタを取り外すことができない問題があった。
【課題を解決するための手段】
【０００６】
この発明はこの点に着目し上記課題を解決する為、特にその構成を請求項１では、機器本体の背面板に形成した空気吸込口を覆うように背面板に取り付けられる対流ファンガードと、該対流ファンガードに着脱自在に取り付けられた対流ファンフィルタとを備えた温風暖房装置に於いて、前記対流ファンフィルタは略中央に取っ手部が形成されたフィルタ上部と、複数の通気穴が形成された通気部とにより断面略Ｌ字状に設けられ、前記対流ファンフィルタの内側の上部に磁石からなる上部係合部材を設けると共に、対流ファンフィルタの内側の下部に磁石からなる下部係合部材を設け、前記通気部の下端を傾斜させて磁石離反部を形成したものである。
【０００７】
又請求項２に係る温風暖房装置では、特にその構成を請求項１に於いて、前記磁石離反部は略４５度の角度で傾斜して形成したものである。
【発明の効果】
【０００８】
この発明の請求項１によれば、対流ファンフィルタは略中央に取っ手部が形成されたフィルタ上部と、複数の通気穴が形成された通気部とにより断面略Ｌ字状に設けられ、前記対流ファンフィルタの内側の上部に磁石からなる上部係合部材を設けると共に、対流ファンフィルタの内側の下部に磁石からなる下部係合部材を設け、前記通気部の下端を傾斜させて磁石離反部を形成したので、下部係合部材は磁石離反部が対流ファンガードの下面に接触したまま対流ファンフィルタを引き上げることで対流ファンガードの正面部分から離れるので、その状態から更に対流ファンフィルタを引き上げることで簡単に対流ファンフィルタを機器本体の後方から取り外すことができるものである。
【０００９】
又、本発明の請求項２に記載の温風暖房装置によれば、前記磁石離反部は略４５度の角度で傾斜して形成したので、磁石離反部が対流ファンガードの下面に接触しても対流ファンフィルタを引き上げる動作の抵抗にならずにスムーズに対流ファンフィルタを引き上げることができ、その上で下部係合部材を対流ファンガードより引き離す間隔を大きくすることができるので、対流ファンガードを引き上げても下部係合部材が磁力により対流ファンガードの正面部分に吸着したままなかなか外れないという不具合が発生するのを防止し、容易に対流ファンフィルタを取り外すことができるものである。
【図面の簡単な説明】
【００１０】
【図１】この発明の一実施形態を示す温風暖房装置の正面図。
【図２】同側面図。
【図３】同背面図。
【図４】同平面図。
【図５】同温風暖房装置に取り付けられる対流ファンフィルタの正面図。
【図６】同平面図。
【図７】同側面図。
【図８】同断面図。
【図９】同対流ファンフィルタを取り付けた時の断面図。
【図１０】同対流ファンフィルタを取りつける時の要部断面図。
【図１１】同対流ファンフィルタを取りつけた時の要部断面図。
【図１２】同対流ファンフィルタを取り外す時の要部断面図。
【発明を実施するための形態】
【００１１】
次に、本発明に係る発明の１実施形態を図面に基づいて説明する。
１は温風暖房装置の機器本体で、各種ボタンや表示部が設けられた天板２と、円形状の空気吸込口（図示せず）と排気用孔（図示せず）とを形成した背面板３と、左右の側面板４、５と、底面の底板６と、温風吹出口７を設けた前パネル８と、前記底板６の底面の隅に設けた脚部９よりなり、置台１０の上に置いて底板６と置台１０との間にスペース１１を形成させた状態で室内に設置するものである。
【００１２】
１２は背面板３に取り付けられた背面カバーで、背面板３上部に取り付けられる背面カバー上部１３と、背面板３左部に取り付けられる背面カバー左部１４と、背面板３右部に取り付けられる背面カバー右部１５とからなり、背面カバー上部１３と背面カバー左部１４と背面カバー右部１５とにより背面板３に略コの字状に取り付けられているものである。
【００１３】
１６は背面板３に取り付けられた略八角形の対流ファンガードで、背面板３に形成した空気吸込口付近には対流ファン（図示せず）が設けられており、対流ファンガード１６はこの空気取入口を覆うように背面板３に取り付けられているものである。
【００１４】
１７は対流ファンフィルタで、略中央に取っ手部１８が形成されたフィルタ上部１９と、パンチングにより複数の通気穴２０が形成された通気部２１とにより断面略Ｌ字状に設けられ、前記通気部２１は中心部分周辺が盛り上がるように形成されているものである。
【００１５】
前記取っ手部１８は、フィルタ上部１９に形成され取っ手部１８を握った時に手の平の部分が当たる取っ手上部２２と、通気部２１の上部のパンチングされていない部分で取っ手上部２２の真下部分を内側に切り起こして上部当接部２３を形成することで取っ手部１８を握った時に指が入る取っ手下部２４によりなるものである。
【００１６】
又、前記通気部２１の両端は略直角に曲げられて案内部２５が形成され、該案内部２５は対流ファンフィルタ１７を対流ファンガード１６に取り付ける時対流ファンガード１６の外側と接触することで対流ファンガード１６に対流ファンフィルタ１７が所定の位置になるように案内するもので、 又、前記通気部２１の下端は約４５度に曲げられて磁石離反部２６が形成されているものである。
【００１７】
２７は対流ファンフィルタ１７の内側の上部当接部２３の下の位置で、対流ファンフィルタ１７の中央寄りの左右の位置に設けた上部係合部材で、磁石により形成され、対流ファンフィルタ１７の上部を磁力により対流ファンガード１６に係合させるものであり、２８は対流ファンフィルタ１７の内側で下部の両端部分の位置に設けた下部係合部材で、磁石により形成され、対流ファンフィルタ１７の下部を磁力により対流ファンガード１６に係合させるものである。
【００１８】
２９は前記上部係合部材２７の下方に形成した突起部で、対流ファンフィルタ１７の通気部２１で上部係合部材２７の下方に位置する部分を内面側に突起させたもので、該突起部２９は上部係合部材２７の高さよりも若干低い位に形成されているものである。
【００１９】
３０は背面カバー上部１３の略中央部分を切り欠いて形成されたフィルタ取り付け部で、対流ファンガード１６の上方に位置し、切り欠いた部分は対流ファンフィルタ１７を対流ファンガード１６に取り付けると、対流ファンフィルタ１７のフィルタ上部１９が背面カバー上部１３と同一面になるものである。
【００２０】
３１はフィルタ取り付け部３０の角部に形成した切り欠き部で、切り欠く位置を側面より内側にして形成したことにより、フィルタ取り付け部３０に対流ファンフィルタ１７を取り付けようとした時、対流ファンフィルタ１７の案内部２５が切り欠き部分にはまることがなく、スムーズに対流ファンフィルタ１７を着脱することが出来、又切り欠いた部分が対流ファンフィルタ１７の案内部２５に接触することがないので、案内部２５の塗装が剥げることがないものである。
【００２１】
次にこの対流ファンフィルタ１７を対流ファンガード１６に取り付ける動作について説明する。
まず、機器本体１の後方及び上部に十分な空間がないような場所に設置された温風暖房装置の正面から対流ファンフィルタ１７を取り付けようとのぞき込むと、背面カバー上部１３のフィルタ取り付け部３０が見えるので、対流ファンフィルタ１７の取っ手部１８を握った状態で対流ファンフィルタ１７の磁石離反部２６からフィルタ取り付け部３０に差し込んでいく。
【００２２】
この時、フィルタ取り付け部３０の一側面と対流ファンフィルタ１７の一方の案内部２５が接触した状態で対流ファンフィルタ１７をフィルタ取り付け部３０に差し込んでも、フィルタ取り付け部３０の一側面と接触していない他方の案内部２５の内側に対流ファンガード１６の側面部分が接触するので、対流ファンガード１６に対しての対流ファンフィルタ１７の横位置は、対流ファンフィルタ１７の両端部分に形成した案内部２５の少なくともどちらか一方の内側に対流ファンガード１６の側面部分が接触することで正常の位置に案内されるものである。
【００２３】
又この時、対流ファンフィルタ１７の磁石離反部２６の先端部分が対流ファンガード１６の正面部分に接触し、それにより対流ファンフィルタ１７の下部係合部材２８が対流ファンガード１６に接触しない状態となっている。
【００２４】
そしてその状態から更に対流ファンフィルタ１７をフィルタ取り付け部３０に差し込んでいくと、図１０のように対流ファンフィルタ１７の突起部２９が対流ファンガード１６の上面部分に接触し、更に対流ファンフィルタ１７を差し込むことで、上部係合部材２７を対流ファンガード１６の正面の位置まで移動させ、対流ファンガード１６の上面部分に接触せずに対流ファンガード１６の正面部分に磁力により吸着させるものである。
【００２５】
そして図１１のように磁石離反部２６の先端部分が対流ファンガード１６の正面部分の下端を通過して磁石離反部２６が対流ファンガード１６の正面部分と非接触状態となることで、下部係合部材２８が磁力により完全に対流ファンガード１６の正面下部に吸着すると共に上部係合部材２７が磁力により完全に対流ファンガード１６の正面上部に吸着し、更に対流ファンガード１６の上部当接部２３の下面が対流ファンガード１６の上面部分に接触してそれ以上対流ファンフィルタ１７が差し込めない状態になり、対流ファンフィルタ１７の取り付けが完了するもので、この時フィルタ上部１９は背面カバー上部１３と同一面になるものである。
【００２６】
このように、対流ファンフィルタ１７の取り付けが完了した時、フィルタ上部１９が背面カバー上部１３と同一面になるので、それにより使用者は対流ファンフィルタ１７が正常に取り付けられたことが容易に確認できるものであり、又、フィルタ上部１９が背面カバー上部１３と同一面になることで対流ファンフィルタ１７を背面カバー１２の一部として兼用できるものである。
【００２７】
次にこの対流ファンフィルタ１７を対流ファンガード１６から取り外す動作について説明する。
まず、機器本体１の後方に取り付けられている対流ファンフィルタ１７の取っ手部１８を握って対流ファンフィルタ１７を引き上げていくと、図１１のように上部係合部材２７と下部係合部材２８が磁力により対流ファンガード１６の正面部分に吸着したまま対流ファンフィルタ１７が持ち上げられていく。
【００２８】
そして更に対流ファンフィルタ１７を引き上げていくと、磁石離反部２６が対流ファンガード１６の下面に接触する。
この磁石離反部２６は約４５度に曲げられて形成されているので、磁石離反部２６が対流ファンガード１６の下面に接触したまま対流ファンフィルタ１７を引き上げていくと、徐々に対流ファンフィルタ１７下部を対流ファンガード１６から離すもので、それにより下部係合部材２８が対流ファンガード１６の正面部分から離れるものである。
【００２９】
このように、約４５度に曲げられて形成されている磁石離反部２６が対流ファンガード１６の下面に接触することで、磁石離反部２６が対流ファンガード１６の下面に接触しても対流ファンフィルタ１７を引き上げる動作の抵抗にならずにスムーズに対流ファンフィルタ１７を引き上げることができ、その上で下部係合部材２８を対流ファンガード１６より引き離す間隔を大きくすることができるので、対流ファンガード１６を引き上げても下部係合部材２８が磁力により対流ファンガード１６の正面部分に吸着したままなかなか外れないという不具合が発生するのを防止し、容易に対流ファンフィルタ１７を取り外すことができるものである。
【００３０】
そして図１２のように、上部係合部材２７は対流ファンフィルタ１７を引き上げることで対流ファンガード１６の正面部分から離れ、下部係合部材２８は磁石離反部２６が対流ファンガード１６の下面に接触したまま対流ファンフィルタ１７を引き上げることで対流ファンガード１６の正面部分から離れるので、その状態から更に対流ファンフィルタ１７を引き上げることで簡単に対流ファンフィルタ１７を機器本体１の後方から取り外すことができるものである。
【符号の説明】
【００３１】
１  機器本体
３  背面板
１６  対流ファンガード
１７  対流ファンフィルタ
１８  取っ手部
１９  フィルタ上部
２０  通気穴
２１  通気部
２６  磁石離反部
２７  上部係合部材
２８  下部係合部材
【図１】
0005646408.tif 000002
【図２】
0005646408.tif 000003
【図３】
0005646408.tif 000004
【図４】
0005646408.tif 000005
【図５】
0005646408.tif 000006
【図６】
0005646408.tif 000007
【図７】
0005646408.tif 000008
【図８】
0005646408.tif 000009
【図９】
0005646408.tif 000010
【図１０】
0005646408.tif 000011
【図１１】
0005646408.tif 000012
【図１２】
0005646408.tif 000013